(57)【要約】      （修正有）【課題】カセッテ装填部及び／又はカセッテ排出部に対して適切なカセッテが装填されているか否かを判定して報知することのできる廉価な放射線画像情報読取装置を得る。【解決手段】カセッテ１６が装填されると、がカセッテ１６の情報記録部に記録された処理情報を読み取り、収納されている蓄積性蛍光体パネルに放射線画像情報が記録されているか否かを判定する。放射線画像情報が記録されていないと判定された場合、不適切なカセッテ１６である旨を報知する。また、カセッテ排出部４０にカセッテ１６が装填され、そのカセッテ１６に収納されている蓄積性蛍光体パネルに放射線画像情報が記録されている場合、不適切なカセッテ１６が装填された旨報知する一方、必要に応じて当該カセッテ１６を装置内に取り込み、読取処理及び消去処理を行った後、再びカセッテ排出部４０にカセッテ１６を排出する。【選択図】図４
2006113266.tif 000002
【特許請求の範囲】
【請求項１】
放射線画像情報の蓄積記録された蓄積性蛍光体パネルを保持するカセッテを装填可能なカセッテ装填部と、
前記カセッテ装填部に装填された前記カセッテから離脱された前記蓄積性蛍光体パネルに対して励起光を照射し、得られた輝尽発光光を光電的に読み取ることで前記放射線画像情報を取得する読取部と、
前記蓄積性蛍光体パネルに消去光を照射して残存する放射線画像情報を消去する消去部と、
前記蓄積性蛍光体パネルを保持した前記カセッテを排出可能なカセッテ排出部と、
前記カセッテ装填部及び／又は前記カセッテ排出部に配設され、前記カセッテ装填部及び／又は前記カセッテ排出部に装填された前記カセッテの処理情報を取得する処理情報取得手段と、
取得した前記処理情報に基づき、適切な前記カセッテが前記カセッテ装填部及び／又は前記カセッテ排出部に装填されたか否かを判定し、その判定結果を報知する判定報知手段と、
を備えることを特徴とする放射線画像情報読取装置。
【請求項２】
請求項１記載の装置において、
前記カセッテは、前記処理情報が記録された情報記録部を備えることを特徴とする放射線画像情報読取装置。
【請求項３】
請求項１記載の装置において、
前記処理情報は、前記カセッテに保持された前記蓄積性蛍光体パネルに前記放射線画像情報が蓄積記録されているか否かを示す情報であることを特徴とする放射線画像情報読取装置。
【請求項４】
請求項１記載の装置において、
前記読取部及び前記消去部を介して、前記カセッテ装填部から前記カセッテ排出部、又は、前記カセッテ排出部から前記カセッテ装填部に搬送方向を選択して前記蓄積性蛍光体パネルを搬送可能な搬送機構を備え、
前記搬送機構は、前記判定報知手段による前記判定結果に基づいて前記搬送方向を選択可能に構成されることを特徴とする放射線画像情報読取装置。
【発明の詳細な説明】
【技術分野】
【０００１】
本発明は、カセッテに保持された蓄積性蛍光体パネルに蓄積記録された放射線画像情報を読み取った後、残存する放射線画像情報を消去して排出する放射線画像情報読取装置に関する。
【背景技術】
【０００２】
従来から、照射された放射線エネルギの一部を蓄積する一方、可視光等の励起光を照射することにより、蓄積された放射線エネルギに応じて輝尽発光する蓄積性蛍光体パネルを用いた放射線画像情報読取装置が知られている。
【０００３】
放射線画像情報読取装置は、例えば、人体等の被写体の放射線画像情報が蓄積記録された蓄積性蛍光体パネルを保持したカセッテが装填されるカセッテ装填部と、カセッテから分離された蓄積性蛍光体パネルに励起光を照射して放射線画像情報を読み取る読取部と、放射線画像情報の読み取られた蓄積性蛍光体パネルに消去光を照射して残存する放射線画像情報を消去する消去部と、消去処理の終了した蓄積性蛍光体パネルをカセッテに保持させて排出するカセッテ排出部とを備えて構成される（例えば、特許文献１参照）。
【０００４】
なお、カセッテに保持された蓄積性蛍光体パネルは、通常、ＩＤ情報登録装置を用いて被写体情報等のＩＤ情報が登録された後、そのＩＤ情報に従って放射線画像情報の撮影処理及び読取処理が行われる。所望の放射線画像情報を得るとともに、放射線画像情報を被写体に確実に対応させるためである。
【０００５】
【特許文献１】特開２００２−１５６７１６号公報
【発明の開示】
【発明が解決しようとする課題】
【０００６】
ところで、放射線画像情報読取装置の周辺には、通常、異なる処理状況からなる多数のカセッテが存在している。例えば、ＩＤ情報や放射線画像情報が登録されていない未使用の蓄積性蛍光体パネルを保持したカセッテ、ＩＤ情報が登録された撮影前の蓄積性蛍光体パネルを保持したカセッテ、及び、ＩＤ情報が登録され放射線画像情報が蓄積記録された撮影後の蓄積性蛍光体パネルを保持したカセッテがある。これらのカセッテのうち、放射線画像情報読取装置のカセッテ装填部には、ＩＤ情報が登録された撮影後のカセッテを装填しなければならない。
【０００７】
放射線画像情報の記録されていないカセッテを誤ってカセッテ装填部に装填してしまうと、不必要な読取消去処理を行ってしまうおそれがある。また、放射線画像情報の記録されたカセッテを誤ってカセッテ排出部に装填してしまうと、必要な読取消去処理を行うことができなくなってしまう。
【０００８】
本発明は、前記の不具合に鑑みなされたもので、カセッテ装填部及び／又はカセッテ排出部に対して適切なカセッテが装填されているか否かを判定して報知することのできる放射線画像情報読取装置を提供することを目的とする。
【課題を解決するための手段】
【０００９】
前記の目的を達成するために、本発明は、カセッテ装填部及び／又はカセッテ排出部に装填されたカセッテの処理情報を処理情報取得手段によって取得し、判定報知手段により当該カセッテが適切なカセッテであるか否かを判定し、その判定結果を報知する。これにより、カセッテに保持された蓄積性蛍光体パネルに対する読取処理及び消去処理の要否を事前に判断することができる。
【００１０】
なお、処理情報は、カセッテに備えられた情報記録部から取得することができる。処理情報としては、カセッテに保持されている蓄積性蛍光体パネルに放射線画像情報が蓄積記録されているか否かを示す情報とすることができる。
【００１１】
放射線画像情報読取装置において、読取部及び消去部を介して、カセッテ装填部からカセッテ排出部、又は、カセッテ排出部からカセッテ装填部に搬送方向を選択して蓄積性蛍光体パネルを搬送する搬送機構を設け、判定報知手段による判定結果に基づき、カセッテ装填部に適切なカセッテが装填された場合、当該カセッテに保持されている蓄積性蛍光体パネルを、搬送機構により、カセッテ装填部から読取部及び消去部を介してカセッテ排出部に搬送し、カセッテ排出部に放射線画像情報の記録されたカセッテが装填された場合、当該カセッテに保持されている蓄積性蛍光体パネルを、搬送機構により、カセッテ排出部から読取部及び消去部を介してカセッテ装填部に搬送させて処理することができる。
【発明の効果】
【００１２】
本発明の放射線画像情報読取装置では、カセッテ装填部及び／又はカセッテ排出部に装填されたカセッテが適切なカセッテであるか否かを判定して報知することができる。また、この報知結果に基づき、カセッテに保持されている蓄積性蛍光体パネルに対して適切な処理を施すことができる。
【発明を実施するための最良の形態】
【００１３】
図１は、本実施形態に係る放射線画像情報読取装置１０を含むシステムの説明図である。このシステムは、ＲＩＳ（Ｒａｄｉｏｌｏｇｙ  Ｉｎｆｏｒｍａｔｉｏｎ  Ｓｙｓｔｅｍ）、ＨＩＳ（Ｈｏｓｐｉｔａｌ  Ｉｎｆｏｒｍａｔｉｏｎ  Ｓｙｓｔｅｍ）等に代表される病院内の情報を管理する上位情報管理システム１２と、上位情報管理システム１２から供給される撮影条件や、ＩＤカード１４から供給される被写体情報をＩＤ情報として登録するＩＤ情報登録装置１８と、被写体の放射線画像情報をＩＤ情報が登録されたカセッテ１６に収納されている蓄積性蛍光体パネルに記録する画像撮影装置２０と、蓄積性蛍光体パネルに記録された放射線画像情報を読み取る放射線画像情報読取装置１０とを備える。放射線画像情報読取装置１０は、放射線画像情報の読み取られた蓄積性蛍光体パネルに残存する放射線画像情報を消去し、当該蓄積性蛍光体パネルをカセッテ１６に収納して排出する。放射線画像情報読取装置１０によって処理された蓄積性蛍光体パネルは、再度放射線画像情報の撮影に供することができる。
【００１４】
図２は、放射線画像情報読取装置１０の外観図である。
【００１５】
放射線画像情報読取装置１０は、図３に示すカセッテ１６に収納された蓄積性蛍光体パネル２２に記録された放射線画像情報を読み取った後、残存する放射線画像情報を消去し、カセッテ１６に収納して排出する機能を備える。
【００１６】
ここで、カセッテ１６は、一端部に蓄積性蛍光体パネル２２を挿脱するための開口部２４を有し、他端部にカセッテ１６から蓄積性蛍光体パネル２２を排出させるための後述する排出ピンを挿入する挿入孔２６ａ、２６ｂを有する。また、カセッテ１６の側面には、ＩＤ情報登録装置１８により撮影条件、被写体情報等のＩＤ情報が記録されるとともに、画像撮影装置２０において放射線画像情報の撮影済み情報が記録可能なＲＦＩＤタグ（Ｒａｄｉｏ  Ｆｒｅｑｕｅｎｃｙ  Ｉｄｅｎｔｉｆｉｃａｔｉｏｎ）等からなる情報記録部２８が配設される。さらに、カセッテ１６の開口部２４寄りの両側面には、カセッテ１６に対して蓄積性蛍光体パネル２２を保持させるための保持孔３０ａ、３０ｂが形成される。
【００１７】
なお、撮影条件、被写体情報等のＩＤ情報及び撮影済み情報は、カセッテ１６の情報記録部２８に記録する代わりに、カセッテ１６の固有識別情報と関連させてＩＤ情報登録装置１８に記録し、ＩＤ情報登録装置１８、画像撮影装置２０及び放射線画像情報読取装置１０間で相互に参照できるようにしてもよい。
【００１８】
一方、カセッテ１６に収納される蓄積性蛍光体パネル２２には、例えば、ガラス等の硬質材料からなる支持基板３２に柱状の蓄積性蛍光体層３４を蒸着して形成される硬質のパネルを用いることができる。なお、蓄積性蛍光体層３４は、真空容器内で蓄積性蛍光体を加熱して蒸発させ、これらを支持基板３２上に付着させる真空蒸着法、スパッタリング法、ＣＶＤ、イオンフレーティング法を用いて形成することができる。このようにして形成される蓄積性蛍光体層３４は、蛍光体が蓄積性蛍光体パネル２２の平面と略垂直な柱状をなし、それぞれが光学的に独立に構成されており、照射される放射線に対して高感度で、且つ、画像の粒状性を低下させることができるとともに、励起光の散乱を減少させて画質を鮮明にすることができる。
【００１９】
蓄積性蛍光体パネル２２の両側部には、保持用板ばね３６ａ、３６ｂが取着されており、蓄積性蛍光体パネル２２をカセッテ１６に挿入した際、これらの保持用板ばね３６ａ、３６ｂがカセッテ１６の保持孔３０ａ、３０ｂに係止する。これにより、蓄積性蛍光体パネル２２をカセッテ１６に固定保持させることができる。また、これらの保持孔３０ａ、３０ｂに図示しないロック解除ピンを挿入することにより、蓄積性蛍光体パネル２２の係止を解除することができる。
【００２０】
放射線画像情報読取装置１０は、複数のカセッテ１６を装填可能なカセッテ装填部３８と、処理された複数のカセッテ１６が排出されるカセッテ排出部４０と、放射線画像情報読取装置１０を操作するとともに、処理状況を表示する操作表示部４２とを備える。カセッテ装填部３８及びカセッテ排出部４０は、ユーザの指定により、カセッテ１６を装填する機能及びカセッテ１６を排出する機能を任意に変更することができる。指定された機能は、カセッテ装填部３８及びカセッテ排出部４０の上部に配設した表示部４４及び４６に表示される。
【００２１】
なお、カセッテ装填部３８及びカセッテ排出部４０は、開閉可能な蓋部材４８及び５０を有するとともに、収納されているカセッテ１６の情報記録部２８から読み取ったＩＤ情報やカセッテ１６の固有識別情報に基づいて得られたカセッテ１６の状態を表示するＬＥＤ等のランプ５２及び５４（判定報知手段）が配設される。
【００２２】
図４は、放射線画像情報読取装置１０の内部構成を示す。
【００２３】
カセッテ装填部３８及びカセッテ排出部４０は、開口部２４を上として複数のカセッテ１６を立設状態で収納可能であり、放射線画像情報読取装置１０を構成する筐体５６の上部左右に配設される。カセッテ装填部３８及びカセッテ排出部４０には、カセッテ１６の側部に配設された情報記録部２８よりＩＤ情報を含むカセッテ１６の処理情報を読み取る情報読取部５８及び６０（処理情報取得手段）が配設される。また、カセッテ装填部３８及びカセッテ排出部４０の底部には、シャッタ６２及び６４が配設される。
【００２４】
カセッテ装填部３８及びカセッテ排出部４０の下部には、カセッテ１６を上下方向に選択して搬送可能な第１搬送機構６６及び第２搬送機構６８が配設される。第１搬送機構６６及び第２搬送機構６８の下部には、カセッテ１６を矢印Ａ、Ｂ方向に選択して搬送可能な第３搬送機構７０が配設される。第３搬送機構７０は、矢印Ａ、Ｂ方向に延在する平行な２本のガイドレール７２ａ、７２ｂを有し、ガイドレール７２ａ、７２ｂには、カセッテ保持部材７４が移動可能に支持される。カセッテ保持部材７４は、カセッテ１６の下端部を支持し、上下方向に移動可能なブラケット７６を有する。ブラケット７６には、カセッテ１６の挿入孔２６ａ、２６ｂに挿入され、内部の蓄積性蛍光体パネル２２を排出する排出ピン７８が設けられる。
【００２５】
第１搬送機構６６と第２搬送機構６８との間には、カセッテ１６を上下方向に搬送可能な第４搬送機構８０が配設され、この第４搬送機構８０に沿って消去部８２が配設される。消去部８２は、消去光Ｑを照射することで蓄積性蛍光体パネル２２に残存する放射線画像情報を消去するハロゲンランプ、冷陰極管等からなる複数の消去光源８４を有する。
【００２６】
カセッテ装填部３８とカセッテ排出部４０との間であって、消去部８２の上部には、蓄積性蛍光体パネル２２に蓄積記録された放射線画像情報を読み取る読取部８６が配設される。読取部８６は、蓄積性蛍光体パネル２２を挟持して上下方向に副走査搬送するパネル搬送機構８８と、パネル搬送機構８８によって搬送される蓄積性蛍光体パネル２２に対して、レーザビームからなる励起光Ｌを主走査方向に照射する励起光走査部９０と、励起光Ｌが照射されることで蓄積性蛍光体パネル２２から得られる輝尽発光光Ｒを電気信号に変換するフォトマルチプライア、ＣＣＤラインセンサ等からなる光電変換部９２とを備える。
【００２７】
本実施形態に係る放射線画像情報読取装置１０及びそれが適用されるシステムは、基本的には以上のように構成されるものであり、次にその動作につき、図５に示すフローチャートに従って説明する。
【００２８】
ユーザは、放射線画像情報読取装置１０を所定の場所に設置した後、操作表示部４２を操作し、放射線画像情報の読取前のカセッテ１６を装填する装填部の位置と、読取後のカセッテ１６を排出する排出部の位置とを指定する（ステップＳ１）。
【００２９】
この場合、例えば、画像撮影装置２０に接近する側をカセッテ装填部３８に指定し、ＩＤ情報登録装置１８に接近する側をカセッテ排出部４０に指定すれば、放射線画像情報の記録された蓄積性蛍光体パネル２２を収納するカセッテ１６を画像撮影装置２０から速やかにカセッテ装填部３８に装填することができる。また、放射線画像情報の消去された蓄積性蛍光体パネル２２を収納したカセッテ１６をカセッテ排出部４０から速やかにＩＤ情報登録装置１８に供給し、次の撮影の準備を行うことができる。
【００３０】
カセッテ装填部３８及びカセッテ排出部４０の位置が指定されると、夫々の上部の表示部４４及び４６に、カセッテ装填部３８及びカセッテ排出部４０を明示する表示が行われる（ステップＳ２）。ユーザは、これらの表示に従い、カセッテ１６の装填処理及び取り出し処理を円滑に行うことができる。
【００３１】
カセッテ装填部３８及びカセッテ排出部４０が指定されると、その指定位置に従い、放射線画像情報読取装置１０内におけるカセッテ１６の搬送処理シーケンスが設定される（ステップＳ３）。
【００３２】
すなわち、第１搬送機構６６は、カセッテ装填部３８に装填されたカセッテ１６を第３搬送機構７０に供給し、第３搬送機構７０は、カセッテ１６を矢印Ｂ方向に搬送し、第２搬送機構６８は、第３搬送機構７０から供給されるカセッテ１６をカセッテ排出部４０に排出する搬送処理シーケンスが設定される。
【００３３】
また、ステップＳ１において、ユーザがカセッテ排出部４０をカセッテ１６の装填部に指定し、カセッテ装填部３８をカセッテ１６の排出部に指定した場合には、第２搬送機構６８がカセッテ排出部４０に装填されたカセッテ１６を第３搬送機構７０に供給し、第３搬送機構７０がカセッテ１６を矢印Ａ方向に搬送し、第１搬送機構６６が第３搬送機構７０から供給されたカセッテ１６をカセッテ装填部３８に排出する搬送処理シーケンスが設定される。
【００３４】
一方、ＩＤ情報登録装置１８では、被写体に対する放射線画像情報の撮影指示があると、被写体のＩＤカード１４に記録されている被写体のＩＤ番号等の被写体情報を読み込み、その被写体情報に対応する撮影条件を上位情報管理システム１２から取得し、これらの情報をＩＤ情報としてカセッテ１６に配設された情報記録部２８に記録する。
【００３５】
ＩＤ情報の記録されたカセッテ１６は、画像撮影装置２０に供給された後、内部に収納される蓄積性蛍光体パネル２２に対して被写体の放射線画像情報が記録される。画像撮影装置２０は、蓄積性蛍光体パネル２２に放射線画像情報を記録すると、撮影済み情報（処理情報）をカセッテ１６の情報記録部２８に記録する。
【００３６】
次に、放射線画像情報が記録された蓄積性蛍光体パネル２２を収納するカセッテ１６は、放射線画像情報読取装置１０に供給され、読取消去処理が行われる。
【００３７】
そこで、ユーザは、表示部４４及び４６の表示に従い、カセッテ装填部３８の蓋部材４８を開蓋してカセッテ１６を装填する（ステップＳ４）。
【００３８】
カセッテ１６がカセッテ装填部３８に装填されると、情報読取部５８が情報記録部２８に記録されているＩＤ情報等を読み込み（ステップＳ５）、適切なカセッテ１６であるか否かの判定を行う（ステップＳ６）。例えば、情報記録部２８にＩＤ情報が登録されていない場合、未登録のカセッテ１６、あるいは、読取消去処理の終了したカセッテ１６がカセッテ装填部３８に装填されたものと判定することができる。また、撮影済み情報が記録されていない場合、ＩＤ情報は登録されているが撮影前の蓄積性蛍光体パネル２２を収納したカセッテ１６であると判定することができる。
【００３９】
ステップＳ６において、カセッテ装填部３８に装填されたカセッテ１６が不適切なカセッテ１６であると判定された場合、例えば、該当するカセッテ１６に対応するランプ５２を点灯してユーザに警告する（ステップＳ７）。同時に、操作表示部４２にその警告内容を表示するようにしてもよい。
【００４０】
ユーザは、警告に従い、当該カセッテ１６に対する処理を続行するか否かを判断し（ステップＳ８）、処理を続行しないものと判断した場合、カセッテ装填部３８から当該カセッテ１６を取り出して処理を終了する（ステップＳ９）。
【００４１】
また、ステップＳ４において、カセッテ装填部３８にカセッテ１６を装填すべきところ、誤ってカセッテ排出部４０にカセッテ１６を装填した場合、カセッテ排出部４０に配設された情報読取部６０が情報記録部２８に記録されているＩＤ情報等を読み込み（ステップＳ５）、適切なカセッテ１６であるか否かの判定を行う（ステップＳ６）。例えば、情報記録部２８にＩＤ情報が登録され、且つ、撮影済み情報が記録されている場合、読取処理前のカセッテ１６がカセッテ排出部４０に装填されたものと判定することができる。
【００４２】
ステップ６において、カセッテ排出部４０に装填されたカセッテ１６が読取処理前のカセッテ１６であると判定された場合には、例えば、ランプ５４を点灯してユーザに警告するとともに、操作表示部４２にその警告内容を表示する（ステップＳ７）。
【００４３】
ユーザは、警告に従い、当該カセッテ１６に対する読取処理を行うか否かを判断する。情報記録部２８にＩＤ情報が登録され、且つ、撮影済み情報が記録されている場合であって、ユーザが読取処理の続行を指示した場合（ステップＳ８）、放射線画像情報読取装置１０では、カセッテ排出部４０からカセッテ１６を取り込んで処理する搬送処理シーケンスへの変更設定が行われる（ステップＳ１０）。
【００４４】
一方、ステップＳ６において、カセッテ装填部３８に装填されたカセッテ１６にＩＤ情報及び撮影済み情報が記録されており、放射線画像情報の読取前の適切なカセッテ１６であると判定された場合には、ステップＳ３で設定された搬送処理シーケンスに従い、カセッテ１６がカセッテ装填部３８からシャッタ６２を介して取り込まれる（ステップＳ１１）。
【００４５】
カセッテ１６は、第１搬送機構６６により下方向に搬送され、下部に待機する第３搬送機構７０を構成するカセッテ保持部材７４のブラケット７６に保持される。カセッテ保持部材７４は、矢印Ｂ方向に移動し、カセッテ１６を消去部８２の下部まで搬送する。そして、図示しないロック解除ピンがカセッテ１６の側部の保持孔３０ａ、３０ｂに挿入されると、保持用板ばね３６ａ、３６ｂによる蓄積性蛍光体パネル２２の保持が解除される。次に、ブラケット７６に配設した排出ピン７８がカセッテ１６の下端部の挿入孔２６ａ、２６ｂに挿入されることにより、蓄積性蛍光体パネル２２がカセッテ１６から取り出される（ステップＳ１２）。
【００４６】
カセッテ１６から取り出された蓄積性蛍光体パネル２２は、第４搬送機構８０によって上方向に搬送され、読取部８６に供給される。読取部８６では、蓄積性蛍光体パネル２２がパネル搬送機構８８によって挟持された状態で鉛直上方向に副走査搬送される一方、励起光走査部９０からの励起光Ｌによって主走査され、輝尽発光光Ｒが得られる。この輝尽発光光Ｒは、光電変換部９２によって電気信号に変換されることで、放射線画像情報が得られる（ステップＳ１３）。
【００４７】
放射線画像情報が読み取られた蓄積性蛍光体パネル２２は、読取部８６の下部に配設される消去部８２に供給される。消去部８２では、消去光源８４から出力された消去光Ｑが蓄積性蛍光体パネル２２に照射されることにより、残存する放射線画像情報が消去される（ステップＳ１４）。
【００４８】
消去処理が完了した蓄積性蛍光体パネル２２は、第４搬送機構８０により下方向に搬送され、待機するカセッテ１６に収納される（ステップＳ１５）。
【００４９】
蓄積性蛍光体パネル２２を収納したカセッテ１６は、カセッテ保持部材７４により矢印Ｂ方向に搬送され、カセッテ排出部４０の下部まで移動した後、第２搬送機構６８によって上方向に搬送され、シャッタ６４を介してカセッテ排出部４０に排出される（ステップＳ１６）。
【００５０】
一方、ステップＳ１において、カセッテ排出部４０が装填部に指定された場合、あるいは、ステップＳ１０において、カセッテ排出部４０に誤装填された読取前のカセッテ１６を処理する搬送処理シーケンスに変更された場合、第２搬送機構６８がカセッテ排出部４０からカセッテ１６を取り込み（ステップＳ１１）、第３搬送機構７０により当該カセッテ１６を矢印Ａ方向に搬送して消去部８２の下部まで移動させる。次いで、カセッテ１６から蓄積性蛍光体パネル２２を取り出し（ステップＳ１２）、読取部８６で読取処理を行い（ステップＳ１３）、消去部８２で消去処理を行った後（ステップＳ１４）、蓄積性蛍光体パネル２２を待機するカセッテ１６に収納する（ステップＳ１５）。
【００５１】
ここで、ステップＳ１において、カセッテ排出部４０が装填部に指定され、カセッテ装填部３８が排出部に指定されている場合、第３搬送機構７０は、蓄積性蛍光体パネル２２を収納したカセッテ１６を矢印Ａ方向に搬送した後、第１搬送機構６６を介してカセッテ装填部３８にカセッテ１６を排出する。
【００５２】
また、ステップＳ１０で搬送処理シーケンスが変更されたときは、ユーザがカセッテ装填部３８に読取前のカセッテ１６を装填すべきところ、誤ってカセッテ排出部４０に装填した際、そのカセッテ１６に対する処理を続行する場合である。そのため、第３搬送機構７０は、ステップＳ１５において蓄積性蛍光体パネル２２を収納したカセッテ１６を矢印Ｂ方向に搬送した後、第２搬送機構６８を介して再びカセッテ排出部４０に排出する（ステップＳ１６）。
【００５３】
なお、上記の説明では、カセッテ１６に配設した情報記録部２８に対してＩＤ情報や撮影済み情報等を記憶させ、その情報を放射線画像情報読取装置１０の情報読取部５８及び６０で読み取ることにより、カセッテ１６の誤装填等を判定するようにしているが、例えば、これらの情報をＩＤ情報登録装置１８、画像撮影装置２０及び放射線画像情報読取装置１０間で送受信し、カセッテ１６を放射線画像情報読取装置１０に装填した際、カセッテ１６の固有識別情報に対応するＩＤ情報等を取得してカセッテ１６の誤装填等を判定するようにしてもよい。
【００５４】
なお、本発明は、上述した実施形態に限定されるものではなく、本発明の主旨を逸脱しない範囲で自由に変更できることは勿論である。
【図面の簡単な説明】
【００５５】
【図１】本実施形態に係る放射線画像情報読取装置を含むシステムのブロック図である。
【図２】本実施形態に係る放射線画像情報読取装置の外観図である。
【図３】本実施形態に係る放射線画像情報読取装置に適用されるカセッテの構成図である。
【図４】本実施形態に係る放射線画像情報読取装置の内部構成図である。
【図５】本実施形態に係る放射線画像情報読取装置における処理フローチャートである。
【符号の説明】
【００５６】
１０…放射線画像情報読取装置            １２…上位情報管理システム
１６…カセッテ                          １８…ＩＤ情報登録装置
２０…画像撮影装置                      ２２…蓄積性蛍光体パネル
２８…情報記録部                        ３８…カセッテ装填部
４０…カセッテ排出部                    ４２…操作表示部
４４、４６…表示部                      ４８、５０…蓋部材
５８、６０…情報読取部                  ６６…第１搬送機構
６８…第２搬送機構                      ７０…第３搬送機構
８０…第４搬送機構                      ８２…消去部
８６…読取部                            ８８…パネル搬送機構
【図１】
2006113266.tif 000003
【図２】
2006113266.tif 000004
【図３】
2006113266.tif 000005
【図４】
2006113266.tif 000006
【図５】
2006113266.tif 000007